【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
ベイヤー配列からなる入力画像を縮小した縮小画像を生成する縮小手段と、
前記縮小画像から第１の輝度信号を生成する輝度信号生成手段と、
前記縮小画像から色信号を生成する色信号生成手段と、
前記第１の輝度信号を第２の輝度信号に変換する変換手段と、
前記第１の輝度信号から輪郭補償信号を生成する輪郭補償信号生成手段と、
前記第２の輝度信号と前記輪郭補償信号を合成する合成手段と、を有し、
前記輝度信号生成手段は、前記入力画像に対する前記縮小画像の画素数の比を示す縮小倍率が閾値より大きい場合には、前記ベイヤー配列に含まれる緑、赤、青の構成比を第１の比率として前記第１の輝度信号を生成し、前記縮小倍率が前記閾値以下である場合には、前記ベイヤー配列に含まれる緑、赤、青の構成比を第２の比率として前記第１の輝度信号を生成し、
前記第１の比率は、前記第２の比率よりも、緑の信号の比率が大きく、
前記変換手段は、前記縮小倍率が前記閾値より大きい場合には、前記第１の輝度信号に前記色信号を加えることで、前記第１の輝度信号を前記第２の輝度信号に変換して出力し、前記縮小倍率が前記閾値以下である場合には、前記第１の輝度信号を前記第２の輝度信号として出力する
ことを特徴とする画像処理装置。
【請求項２】
前記第１の輝度信号と前記色信号を記憶するメモリを更に有し、
前記変換手段は、前記第１の輝度信号を前記メモリから読み出して前記第１の輝度信号を前記第２の輝度信号に変換し、前記輪郭補償信号生成手段は、前記第１の輝度信号を前記メモリから読み出し、前記第１の輝度信号にフィルタ処理を行うことによって前記輪郭補償信号を生成する
ことを特徴とする請求項１に記載の画像処理装置。
【請求項３】
前記縮小倍率が前記閾値より大きい場合、前記変換された第２の輝度信号に含まれる緑、赤、青の構成比は、前記第１の比率と等しくなることを特徴とする請求項１又は２に記載の画像処理装置。
【請求項４】
前記輝度信号生成手段は、前記縮小画像の縮小倍率が前記入力画像を縮小する方向によって異なる場合には、小さい方の縮小倍率に応じて前記第１の輝度信号を生成することを特徴とする請求項１乃至３のいずれか一項に記載の画像処理装置。
【請求項５】
ベイヤー配列からなる入力画像を縮小した縮小画像を生成する縮小手段と、
前記縮小画像から第１の輝度信号を生成する輝度信号生成手段と、
前記縮小画像から色信号を生成する色信号生成手段と、
前記第１の輝度信号を第２の輝度信号に変換する変換手段と、
前記第１の輝度信号から輪郭補償信号を生成する輪郭補償信号生成手段と、
前記第２の輝度信号と前記輪郭補償信号を合成する合成手段と、を有し、
前記輝度信号生成手段は、前記入力画像に対する前記縮小画像の画素数の比を示す縮小倍率が閾値より大きい場合には、前記ベイヤー配列に含まれる緑の信号のみを用いて前記第１の輝度信号を生成し、前記縮小倍率が前記閾値以下である場合には、前記ベイヤー配列に含まれる緑、赤、青の信号を用いて前記第１の輝度信号を生成し、
前記変換手段は、前記縮小倍率が前記閾値より大きい場合には、前記第１の輝度信号に前記色信号を加えることで、前記第１の輝度信号を前記第２の輝度信号に変換して出力し、前記縮小倍率が前記閾値以下である場合には、前記第１の輝度信号を前記第２の輝度信号として出力する
ことを特徴とする画像処理装置。
【請求項６】
前記第１の輝度信号と前記色信号を記憶するメモリを更に有し、
前記変換手段は、前記第１の輝度信号を前記メモリから読み出して前記第１の輝度信号を前記第２の輝度信号に変換し、前記輪郭補償信号生成手段は、前記第１の輝度信号を前記メモリから読み出し、前記第１の輝度信号にフィルタ処理を行うことによって前記輪郭補償信号を生成する
ことを特徴とする請求項５に記載の画像処理装置。
【請求項７】
前記縮小倍率が前記閾値より大きい場合、前記変換された第２の輝度信号に含まれる緑、赤、青の構成比は、前記第１の比率と等しくなることを特徴とする請求項５又は６に記載の画像処理装置。
【請求項８】
前記輝度信号生成手段は、前記縮小画像の縮小倍率が前記入力画像を縮小する方向によって異なる場合には、小さい方の縮小倍率に応じて前記第１の輝度信号を生成することを特徴とする請求項５乃至７のいずれか一項に記載の画像処理装置。
【請求項９】
画像処理装置の制御方法であって、
ベイヤー配列からなる入力画像を縮小した縮小画像を生成するステップと、
前記縮小画像から第１の輝度信号を生成するステップと、
前記縮小画像から色信号を生成するステップと、
前記第１の輝度信号を第２の輝度信号に変換するステップと、
前記第１の輝度信号から輪郭補償信号を生成するステップと、
前記第２の輝度信号と前記輪郭補償信号を合成するステップと、を有し、
前記入力画像に対する前記縮小画像の画素数の比を示す縮小倍率が閾値より大きい場合には、前記ベイヤー配列に含まれる緑、赤、青の構成比を第１の比率として前記第１の輝度信号を生成し、前記縮小倍率が前記閾値以下である場合には、前記ベイヤー配列に含まれる緑、赤、青の構成比を第２の比率として前記第１の輝度信号を生成し、
前記第１の比率は、前記第２の比率よりも、緑の信号の比率が大きく、
前記変換するステップは、前記縮小倍率が前記閾値より大きい場合には、前記第１の輝度信号に前記色信号を加えることで、前記第１の輝度信号を前記第２の輝度信号に変換して出力し、前記縮小倍率が前記閾値以下である場合には、前記第１の輝度信号を前記第２の輝度信号として出力する
ことを特徴とする画像処理装置の制御方法。
【請求項１０】
画像処理装置の制御方法であって、
ベイヤー配列からなる入力画像を縮小した縮小画像を生成するステップと、
前記縮小画像から第１の輝度信号を生成するステップと、
前記縮小画像から色信号を生成するステップと、
前記第１の輝度信号を第２の輝度信号に変換するステップと、
前記第１の輝度信号から輪郭補償信号を生成するステップと、
前記第２の輝度信号と前記輪郭補償信号を合成するステップと、を有し、
前記第１の輝度信号を生成するステップは、前記入力画像に対する前記縮小画像の画素数の比を示す縮小倍率が閾値より大きい場合には、前記ベイヤー配列に含まれる緑の信号のみを用いて前記第１の輝度信号を生成し、前記縮小倍率が前記閾値以下である場合には、前記ベイヤー配列に含まれる緑、赤、青の信号を用いて前記第１の輝度信号を生成し、
前記変換するステップは、前記縮小倍率が前記閾値より大きい場合には、前記第１の輝度信号に前記色信号を加えることで、前記第１の輝度信号を前記第２の輝度信号に変換して出力し、前記縮小倍率が前記閾値以下である場合には、前記第１の輝度信号を前記第２の輝度信号として出力する
ことを特徴とする画像処理装置の制御方法。
【請求項１１】
コンピュータを、請求項１乃至８のいずれか１項に記載の画像処理装置が有する各手段として機能させるためのプログラム。
【手続補正２】
【補正対象書類名】明細書
【補正対象項目名】０００９
【補正方法】変更
【補正の内容】
【０００９】
本発明の一側面によれば、ベイヤー配列からなる入力画像を縮小した縮小画像を生成する縮小手段と、前記縮小画像から第１の輝度信号を生成する輝度信号生成手段と、前記縮小画像から色信号を生成する色信号生成手段と、前記第１の輝度信号を第２の輝度信号に変換する変換手段と、前記第１の輝度信号から輪郭補償信号を生成する輪郭補償信号生成手段と、前記第２の輝度信号と前記輪郭補償信号を合成する合成手段とを有し、前記輝度信号生成手段は、前記入力画像に対する前記縮小画像の画素数の比を示す縮小倍率が閾値より大きい場合には、前記ベイヤー配列に含まれる緑、赤、青の構成比を第１の比率として前記第１の輝度信号を生成し、前記縮小倍率が前記閾値以下である場合には、前記ベイヤー配列に含まれる緑、赤、青の構成比を第２の比率として前記第１の輝度信号を生成し、前記第１の比率は、前記第２の比率よりも、緑の信号の比率が大きく、前記変換手段は、前記縮小倍率が前記閾値より大きい場合には、前記第１の輝度信号に前記色信号を加えることで、前記第１の輝度信号を前記第２の輝度信号に変換して出力し、前記縮小倍率が前記閾値以下である場合には、前記第１の輝度信号を前記第２の輝度信号として出力することを特徴とする画像処理装置が提供される。